(57)【要約】【課題】  少量のゴキブリ忌避剤を用いて経済的に生産できるとともに、使用上の安全性も確保できるものでありながら、長期間に亘って安定よく、かつ、衛生的にゴキブリ忌避効果を発揮できる流し栓用樹脂製排水ホースを提供する。【解決手段】  流し栓３に集水部品４を介して接続され、他端部が床下に向けて配設される樹脂製排水ホース１のうち、両端部分１Ａ，１Ｂが、ゴキブリに対して忌避効力を有する薬剤を高濃度に添加した樹脂材料から成形されているとともに、ホース中間部分１Ｃが前記薬剤を低濃度に添加した樹脂材料から成形されている。【選択図】図１
2007271074.tif 000002
【特許請求の範囲】
【請求項１】
流し栓に集水部品を介して接続され、他端部が床下に向けて配設される樹脂製排水ホースであって、
ホースの全長又は少なくとも両端部分が、ゴキブリに対して忌避効力を有する薬剤を添加した樹脂材料から成形されていることを特徴とする流し栓用樹脂製排水ホース。
【請求項２】
前記集水部品も前記ゴキブリに対して忌避効力を有する薬剤を添加した樹脂材料から成形されている請求項１に記載の流し栓用樹脂製排水ホース。
【請求項３】
ホースの全長がゴキブリに対して忌避効力を有する薬剤を添加した樹脂材料から成形されるものであって、前記集水部品を含む両端部分の薬剤濃度が中間部分の薬剤濃度よりも高く設定されている請求項１または２に記載の流し栓用樹脂製排水ホース。
【請求項４】
前記両端部分の薬剤濃度が０．２〜０．４重量％であり、かつ、前記中間部分の薬剤濃度が０．１〜０．２重量％未満である請求項２または３に記載の流し栓用樹脂製排水ホース。
【発明の詳細な説明】
【技術分野】
【０００１】  本発明は、キッチンやダイニングキッチンに据付設置される流し台あるいは洗面所に設置される洗面台などの流し栓に集水部品を介して接続され、他端部が床下に向けて配設される流し栓用樹脂製排水ホースに関する。
【背景技術】
【０００２】  一般家庭で食品や食器類を取り扱うキッチンやダイニングキッチン、あるいは、熱気などが篭り比較的温暖な洗面所などは病原菌を媒介する衛生害虫の一つであるゴキブリが好む温度条件、湿度条件にあり、そのために、床下などに生息しているゴキブリが排水ホースを伝って流し栓内に侵入し、この流し栓周りに不衛生で、かつ、視覚的不快感を伴う多くのゴキブリが徘徊し繁殖して生活環境を著しく損ねる原因となっている。【０００３】  ゴキブリ対策として、従来一般には、殺虫剤の直接散布や燻煙といった化学的駆除方法、あるいは、紙製ボックスの底部に粘着性薬剤を塗布し、その粘着性薬剤に誘引剤を含む餌を置いてゴキブリをボックス内に誘導して粘着剤で捕獲する物理的駆除方法が多く採用されている。しかし、前者の化学的駆除方法は、毒性の強い殺虫剤や燻煙成分が食品や食器類、その他の生活用品に及ぼす悪影響を考慮すると、衛生的にも健康面からみても好ましい対策とは言えない。また、後者の物理的駆除方法は、生息数の数パーセント以下を捕獲できる程度に過ぎず、繁殖力の強いゴキブリの駆除対策としては不十分である。【０００４】  このような化学的または物理的駆除方法に代わるゴキブリ対策として、従来、ゴキブリに対して忌避効力を有する薬剤（以下、ゴキブリ忌避剤というものを含む）を添加した各種塗料やエアゾール薬剤が開発され、その塗料を食器棚や食品棚に塗布したり、あるいは、エアゾール薬剤を室内の壁や床などに噴霧したりするゴキブリ忌避方法が提案されている（例えば、特許文献１参照）。【０００５】
【特許文献１】  特開平７−１１８１１２号公報
【発明の開示】
【発明が解決しようとする課題】
【０００６】  上記したような従来のゴキブリ忌避方法は、忌避剤の使用によって侵入させたくない箇所へのゴキブリの侵入を防ぐものであって、毒性の強い殺虫剤や燻煙成分を使用する従来一般的な対策に比べて、衛生的かつ健康面からみて好ましい対策であるといえる。しかしながら、塗料の塗布あるいはエアゾール薬剤の噴霧であるため、その使用に無駄を生じやすくて対策コストの増大を招くばかりでなく、塗料を排水ホースの表面等に塗布して用いる場合、例えば蛇腹状可撓性ホースのように、ホースの形態によっては均一に塗布することができず、塗布むらによって非忌避領域が生じやすく、その結果、どんな狭い隙間でも俊敏に通り抜ける体型、特性を持つゴキブリの忌避効果を十分に発揮させることができないという問題がある。また、エアゾール薬剤を排水ホースの外表面等に噴霧して用いる場合、噴霧の方向性や噴霧量によっては毒性がないあるいは低毒性といっても衛生面、健康面への悪影響は避けられず、さらに忌避効力を持続させるためには比較的短いサイクルで噴霧を繰り返す必要があって非常に不経済であるという問題があった。【０００７】  本発明は上記のような実情に鑑みてなされたもので、少量のゴキブリ忌避剤を用いて経済的に生産できるとともに、使用上の安全性も確保できるものでありながら、長期間に亘って安定よく、かつ、衛生的にゴキブリ忌避効果を発揮させることができる流し栓用樹脂製排水ホースを提供することを目的とする。
【課題を解決するための手段】
【０００８】  上記目的を達成するために、本発明に係る流し栓用樹脂製排水ホースは、流し栓に集水部品を介して接続され、他端部が床下に向けて配設される樹脂製排水ホースであって、ホースの全長又は少なくとも両端部分が、ゴキブリに対して忌避効力を有する薬剤を添加した樹脂材料から成形されていることを特徴としている。【０００９】  上記構成の流し栓用樹脂製排水ホースにおいて、特に、請求項２に記載のように、前記集水部品も前記ゴキブリに対して忌避効力を有する薬剤を添加した樹脂材料から成形することが望ましい。【００１０】  また、上記構成の流し栓用樹脂製排水ホースにおいて、請求項３に記載のように、ホースの全長がゴキブリに対して忌避効力を有する薬剤を添加した樹脂材料から成形されるものであって、前記集水部品を含む両端部分の薬剤濃度が中間部分の薬剤濃度よりも高く設定することが好ましい。殊に、使用の安全性や経済性を考慮すると、前記両端部分の薬剤濃度を０．２〜０．４重量％とし、かつ、前記中間部分の薬剤濃度を０．１〜０．２重量％未満とすることが好ましい。
【発明の効果】
【００１１】  上記のような特徴構成を有する本発明によれば、次のような効果を奏する。すなわち、床下に生息しているゴキブリの大部分は樹脂製排水ホースを伝って流し栓まで侵入することが多い。この排水ホース自体を、ゴキブリに対して忌避効力を有する薬剤を添加した樹脂材料から成形してホースの全周でほぼ均等な忌避効力を発揮させるようにすることにより、ゴキブリが床下からホースを伝って流し栓まで侵入することを確実に防ぎ、キッチンなどでのゴキブリの徘徊や繁殖を極力低減して生活環境の著しい改善を図ることができる。しかも、忌避剤添加の塗料を塗布したり、エアゾール薬剤を噴霧したりするのではなく、ホースの肉厚内に忌避剤が担持されるように成形しているので、少量の忌避剤を用い、これを排水ホース自体の成形材料に混入させればよいので、経済的に生産できるとともに、使用上の安全性を確保し得るものでありながら、長期間に亘って安定よく、かつ、衛生的にゴキブリ忌避効果を発揮させることができるという効果を奏する。【００１２】  特に、集水部品を含むホース両端部分の薬剤濃度をホース中間部分の薬剤濃度よりも高く設定することで、経済性をより高めつつ、十分なゴキブリ忌避効果を発揮させることができる。
【発明を実施するための最良の形態】
【００１３】  以下、本発明の実施の形態について説明する。
図１は、本発明に係る流し栓用樹脂製ホースの使用態様の一つ例を示す要部の斜視図であり、例えばＰＶＣ樹脂やＡＢＳ樹脂等の樹脂材料の射出成形により蛇腹状に製造される流し栓用の可撓性排水ホース１は、その一端部がキッチンなどに据付設置される流し台２の流し栓（シンク）３の底部にホースナットやホースユニオンナット等のＡＢＳ樹脂等の樹脂製接続集水部品４を介して接続され、他端部が床面Ｆの穴を塞ぐＰＶＣ樹脂等の樹脂製排水プレート５を通して床下に向けて配設されるとともに、床下に施工された排水配管（図示省略）に接続されて使用される。【００１４】  上記のように使用される流し栓用樹脂製可撓性ホース１が、その全長に亘りゴキブリに対して忌避効力を有する薬剤（以下、ゴキブリ忌避剤と称し、その具体的な成分等については後述する。）を添加した樹脂材料から成形されているとともに、前記接続集水部品４及び排水プレート５もゴキブリ忌避剤を添加した樹脂材料から成形されている。【００１５】  そして、前記樹脂製可撓性ホース１のうち、適当長さ範囲の上端部分１Ａ及び前記接続集水部品４並びに床面Ｆ上から床面Ｆ下に亘る適当長さ範囲の下端部分１Ｂのゴキブリ忌避剤の濃度は０．２〜０．４重量％に設定されているとともに、中間部分１Ｃ及び排水プレート５のゴキブリ忌避剤の濃度は０．１〜０．２重量％未満に設定されている。【００１６】  前記ゴキブリ忌避剤としては、ジメチルフタレート、ジブチルフタレート、ジエチルトルアミド、２，３，４，５−ビス（Δ２−ブチレン）−テトラヒドロフルフラヘル、ＭＧＫリペレント、ＭＧＫリペレント３２８、タブトレックス等のほかに、２，２−ジメチル−３−（２−メチルプロペニル）シクロプロパニックアシッド（３−フェノキシフェニル）メチルエステルおよび２．２−ジクロル−３−（２−メチルプロペニル）シクロプロパンカルボニックアシッド（３−フェノキシフェニル）メチルエステルを有効成分として１ｍ２当り０／０１〜０．０５ｇ付着させたもの、が挙げられる。【００１７】  また、ゴキブリ忌避剤の効力増強剤としては、ピペロニルブトキサイド、Ｎ，Ｎ−ジエチル−３−メチルベンズアミド、オクタクロルジプロピルエーテル、イソボルニルチオシアノアセテート、Ｎ−オクチルビシクロヘプテン・ジカルボキシイミド、サイネピリン５００、サイネピリン２２２の１種または２種以上を２〜１０倍量加えた薬剤を有効成分換算で１ｍ２当り０．００１〜０．０５ｇ付着させたもの、が挙げられる。【００１８】  上記したゴキブリ忌避剤及び効力増強剤を１：２〜５倍量で配合したものを樹脂材料に対して上述した濃度となるように添加して射出成形することにより、その肉厚内にゴキブリ忌避剤及び効力増強剤が全域に万遍なく担持された流し栓用樹脂製可撓性ホース１を製造することができ、このようなホース１を使用することによって、床下に生息するゴキブリがホース１の外表面あるいは内面を伝って流し栓３まで侵入し、キッチンなどで徘徊したり繁殖したりする生活環境の悪化を極力低減することができる。【００１９】  特に、床下からの侵入経路の始端となるホース下端部分１Ｂ並びに流し栓３に最も近い侵入経路の最終端となるホース上端部分１Ａ及び接続集水部品４���忌避剤濃度をホース中間部分１Ｃの忌避剤濃度よりも高くするといったように、ホース長手方向で濃度変化をつけることにより、ホース全体としてのゴキブリ忌避剤の使用量をできるだけ少なくして使用上の安全性確保及び製造コストの低減を図りつつも、ゴキブリの忌避効果を長期間に亘って確実かつ安定よく発揮させることができる。【００２０】  なお、上記実施の形態では、流し栓（シンク）３が一つの、いわゆる、シングルシンクタイプの流し台２における単一の排水ホース１に適用したものについて説明したが、図２に示すように、大小二つの流し栓（シンク）３ａ，３ｂを有する、いわゆる、ダブルシンクタイプの流し台２ａにおける大小二つの流し栓３ａ，３ｂそれぞれに接続集水部品４ａ，４ｂを介して接続される樹脂製排水ホース１ａ，１ｂ及びこれら両排水ホース１ａ．１ｂにＹ型継手６を介して接続されて床下に向けて配設される集合排水ホース１ｃに本発明を適用する場合も上記と同等なゴキブリ忌避効果を発揮させることができる。【００２１】  また、上記各実施の形態では、流し台における流し栓用樹脂製ホースに適用したものについて説明したが、これ以外に、例えば洗面所に設置される洗面台などの流し栓用の樹脂製排水ホースに適用実施してもよいこともちろんである。【００２２】  さらに、排水ホースを、その全長に亘って、一定濃度のゴキブリ忌避剤を添加した樹脂材料から成形してもよい。
【図面の簡単な説明】
【００２３】
【図１】  本発明に係る流し栓用樹脂製ホースの使用態様の一つの例を示す要部の斜視図である。
【図２】  本発明に係る流し栓用樹脂製ホースの使用態様の他の例を示す要部の斜視図である。
【符号の説明】
【００２４】    １，１ａ〜１ｃ  樹脂製排水ホース
１Ａ，１Ｂ  ホース端部分
１Ｃ  ホース中間部分
３，３ａ，３ｂ  流し栓（シンク）
４，４ａ，４ｂ  接続集水部品
【図１】
2007271074.tif 000003
【図２】
2007271074.tif 000004